(57)【特許請求の範囲】
【請求項１】
メモリと、前記メモリに連結された少なくとも１つのプロセッサとを備え、
前記少なくとも１つのプロセッサは、
少なくとも１つのコードブックのサブセットであるプリコーディング行列セットを決定し、
前記少なくとも１つのコードブックのうちのいずれのサブセットが前記プリコーディング行列セットであるかを示すのに用いられるシグナリング指標を生成するように構成されており、以下の事項、すなわち、
前記プリコーディング行列セット内のコードワードＷ２のセットは、前記少なくとも１つのコードブック内のコードワードＷ２のサブセットであること、及び、
前記プリコーディング行列セット内の第２のプリコーディング行列指標ｉ２のセットは、前記少なくとも１つのコードブック内のｉ２のサブセットであり、ｉ２の各値は、コードワードＷ２に対応すること、
のうち１つ又は複数が満たされ、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
装置。
【請求項２】
前記シグナリング指標が、前記少なくとも１つのコードブックのうちのいずれのサブセットが前記プリコーディング行列セットであるかを示すのに用いられることは、
前記シグナリング指標が、以下の事項、すなわち、
前記プリコーディング行列セット内のコードワードＷ２の前記セット、及び、
前記プリコーディング行列セット内の第２のプリコーディング行列指標ｉ２の前記セット
のうち１つ又は複数を示すのに用いられることを含む、請求項１に記載の装置。
【請求項３】
前記メモリは、前記少なくとも１つのコードブックを格納するように構成されており、前記少なくとも１つのコードブックは、少なくとも１つのコードワードＷ及びＷがＷ＝Ｗ１・Ｗ２であるコードワード構造を含む、又は、前記少なくとも１つのコードブックは、少なくとも１つのコードワードＷ１及び少なくとも１つのコードワードＷ２を含む、請求項１又は２に記載の装置。
【請求項４】
前記コードワードＷ２は、前記少なくとも１つのコードブック内の少なくとも１つのコードワードに基づく行置換又は列置換の後に取得されたプリコーディング行列である、請求項１から３のいずれか一項に記載の装置。
【請求項５】
前記シグナリング指標をユーザ機器（ＵＥ）へ送信するように構成された送受信機をさらに備える、請求項１から４のいずれか一項に記載の装置。
【請求項６】
前記シグナリング指標は、無線リソース制御（ＲＲＣ）メッセージ、又はダウンリンク制御情報（ＤＣＩ）を使って搬送される、請求項１から５のいずれか一項に記載の装置。
【請求項７】
前記プリコーディング行列セットは、コードワードＷ１のセットを含み、
Ｗ２は、サブバンド又はショートタームのチャネル特性に対応し、Ｗ１は、ブロードバンド又はロングタームのチャネル特性に対応する、請求項１から６のいずれか一項に記載の装置。
【請求項８】
前記装置は、前記シグナリング指標をユーザ機器（ＵＥ）へ送信した後に、前記ＵＥによって送信されたプリコーディング行列指標（ＰＭＩ）を受信し、
前記ＰＭＩは、前記コードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項１から７のいずれか一項に記載の装置。
【請求項９】
メモリと、前記メモリに連結された少なくとも１つのプロセッサとを備え、
前記少なくとも１つのプロセッサは、
シグナリング指標を基地局から取得し、
前記シグナリング指標は、少なくとも１つのコードブックのうちのいずれのサブセットがプリコーディング行列セットであるかを示すのに用いられ、以下の事項、すなわち、
（ｉ）前記プリコーディング行列セット内のコードワードＷ２のセットが、前記少なくとも１つのコードブック内のコードワードＷ２のサブセットであること、及び
（ｉｉ）前記プリコーディング行列セット内の第２のプリコーディング行列指標ｉ２のセットが、前記少なくとも１つのコードブック内のｉ２のサブセットであり、ｉ２の各値は、コードワードＷ２に対応すること、
のうち１つ又は複数を満たし、  前記シグナリング指標に基づいて、プリコーディング行列を選択する
ように構成されており、選択された前記プリコーディング行列は、前記プリコーディング行列セットに属し、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
装置。
【請求項１０】
プリコーディング行列指標（ＰＭＩ）を前記基地局へ送信するように構成された送受信機をさらに備える、請求項９に記載の装置。
【請求項１１】
前記基地局へ送信される前記ＰＭＩは、第１のプリコーディング行列指標ＰＭＩ１及び第２のプリコーディング行列指標ＰＭＩ２を含み、
前記ＰＭＩ１は、前記プリコーディング行列セット内のコードワードＷ１のセットのうちのコードワードＷ１を示すのに用いられ、前記ＰＭＩ２は、コードワードＷ２の前記セットのうちのコードワードＷ２を示すのに用いられる、又は、
前記ＰＭＩは、選択された前記プリコーディング行列を示すのに用いられる、又は、
前記ＰＭＩは、前記プリコーディング行列セットを再符号化した後に取得され、選択された前記プリコーディング行列を示すのに用いられる、
請求項１０に記載の装置。
【請求項１２】
前記プリコーディング行列指標ＰＭＩ１及びＰＭＩ２は、異なる時間ドメイン粒度、又は異なる周波数ドメイン粒度を有する、請求項１１に記載の装置。
【請求項１３】
前記基地局へ送信される前記ＰＭＩは、前記コードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項１０に記載の装置。
【請求項１４】
プリコーディング情報を送信するための方法であって、
シグナリング指標を生成する段階であって、前記シグナリング指標は、少なくとも１つのコードブックのうちのいずれのサブセットがプリコーディング行列セットであるかを示すのに用いられ、以下の事項、すなわち、
（ｉ）前記プリコーディング行列セット内のコードワードＷ２のセットが、前記少なくとも１つのコードブック内のコードワードＷ２のサブセットであること、及び、
（ｉｉ）前記プリコーディング行列セット内の第２のプリコーディング行列指標ｉ２のセットが、前記少なくとも１つのコードブック内のｉ２のサブセットであり、ｉ２の各値は、コードワードＷ２に対応すること、
のうち１つ又は複数が満たされる、段階と、
前記シグナリング指標をユーザ機器（ＵＥ）へ送信する段階と
を備え、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
方法。
【請求項１５】
前記プリコーディング行列セットを少なくとも１つのコードブックから決定する段階をさらに備える、請求項１４に記載の方法。
【請求項１６】
前記シグナリング指標は、無線リソース制御（ＲＲＣ）メッセージ、又はダウンリンク制御情報（ＤＣＩ）を使って搬送される、請求項１４又は１５に記載の方法。
【請求項１７】
前記シグナリング指標を前記ＵＥへ送信した後に、前記ＵＥによって送信されたプリコーディング行列指標（ＰＭＩ）を受信する段階
をさらに備え
前記ＰＭＩは、コードワードＷ２の前記セットのうちのコードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項１４から１６のいずれか一項に記載の方法。
【請求項１８】
プリコーディング情報をフィードバックするための方法であって、
シグナリング指標を基地局から受信する段階であって、前記シグナリング指標は、少なくとも１つのコードブックのうちのいずれのサブセットがプリコーディング行列セットであるかを示すのに用いられ、以下の事項、すなわち、
（ｉ）前記プリコーディング行列セット内のコードワードＷ２のセットが、前記少なくとも１つのコードブック内のコードワードＷ２のサブセットであること、及び、
（ｉｉ）前記プリコーディング行列セット内の第２のプリコーディング行列指標ｉ２のセットが、前記少なくとも１つのコードブック内のｉ２のサブセットであり、ｉ２の各値は、コードワードＷ２に対応すること、
のうち１つ又は複数を満たす、段階と、
前記シグナリング指標に基づいてプリコーディング行列を選択する段階であって、選択された前記プリコーディング行列は、前記プリコーディング行列セットに属する、段階と
を備え、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
方法。
【請求項１９】
プリコーディング行列指標（ＰＭＩ）を前記基地局へ送信する段階をさらに備える、請求項１８に記載の方法。
【請求項２０】
前記基地局へ送信される前記ＰＭＩは、第１のプリコーディング行列指標ＰＭＩ１及び第２のプリコーディング行列指標ＰＭＩ２を含み、
前記ＰＭＩ１は、前記プリコーディング行列セット内のコードワードＷ１のセットのうちのコードワードＷ１を示すのに用いられ、前記ＰＭＩ２は、コードワードＷ２の前記セットのうちのコードワードＷ２を示すのに用いられる、又は、
前記ＰＭＩは、選択された前記プリコーディング行列を示すのに用いられる、又は、
前記ＰＭＩは、前記プリコーディング行列セットを再符号化した後に取得され、選択された前記プリコーディング行列を示すのに用いられる、
請求項１９に記載の方法。
【請求項２１】
前記プリコーディング行列指標ＰＭＩ１及びＰＭＩ２は、異なる時間ドメイン粒度、又は異なる周波数ドメイン粒度を有する、請求項２０に記載の方法。
【請求項２２】
前記基地局へ送信される前記ＰＭＩは、前記コードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項１９に記載の方法。
【請求項２３】
シグナリング指標を生成するように構成されたプロセッサであって、前記シグナリング指標は、少なくとも１つのコードブックのうちのいずれのサブセットがプリコーディング行列セットであるかを示すのに用いられ、以下の事項、すなわち、
（ｉ）前記プリコーディング行列セット内のコードワードＷ２のセットが、前記少なくとも１つのコードブック内のＷ２のサブセットであること、及び、
（ｉｉ）前記プリコーディング行列セット内の第２のプリコーディング行列指標ｉ２のセットが、前記少なくとも１つのコードブック内のｉ２のサブセットであり、ｉ２の各値は、コードワードＷ２に対応すること、
のうち１つ又は複数を満たす、プロセッサと、
前記シグナリング指標をユーザ機器ＵＥへ送信するように構成された送受信機と
を備え、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
基地局。
【請求項２４】
前記基地局は、前記シグナリング指標が前記ユーザ機器ＵＥへ送信された後に、前記ユーザ機器ＵＥによって送信されたプリコーディング行列指標（ＰＭＩ）を受信し、
前記ＰＭＩは、前記コードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項２３に記載の基地局。
【請求項２５】
ユーザ機器ＵＥであって、
シグナリング指標を基地局から受信するように構成された送受信機であって、前記シグナリング指標は、少なくとも１つのコードブックのうちのいずれのサブセットがプリコーディング行列セットであるかを示すのに用いられ、以下の事項、すなわち、
（ｉ）前記プリコーディング行列セット内のコードワードＷ２のセットが、前記少なくとも１つのコードブック内のコードワードＷ２のサブセットであること、及び、
（ｉｉ）前記プリコーディング行列セット内の第２のプリコーディング行列指標ｉ２のセットが、前記少なくとも１つのコードブック内のｉ２のサブセットであり、ｉ２の各値は、コードワードＷ２に対応すること、
のうち１つ又は複数を満たす、送受信機と
前記シグナリング指標に従って、プリコーディング行列を選択するように構成されたプロセッサであって、選択された前記プリコーディング行列は、前記プリコーディング行列セットに属する、プロセッサと
を備え、
前記送受信機はさらに、プリコーディング行列指標（ＰＭＩ）を前記基地局へ送信するように構成され、
前記プリコーディング行列セット内のコードワードＷ２の前記セットは、以下の事項、すなわち、
列選択ベクトル値が、前記少なくとも１つのコードブック内のコードワードＷ２の列選択ベクトル値のサブセットである、少なくとも１つのコードワードＷ２、
位相回転重みファクタ値が、前記少なくとも１つのコードブック内のコードワードＷ２の位相回転重みファクタ値のサブセットである、少なくとも１つのコードワードＷ２、及び、
列選択ベクトル値及び位相回転重みファクタ値が、前記少なくとも１つのコードブック内のコードワードＷ２の列選択ベクトル値及び位相回転重みファクタ値のサブセットである、少なくとも１つのコードワードＷ２、
のうち１つを含む、
ＵＥ。
【請求項２６】
前記基地局へ送信される前記ＰＭＩは、第１のプリコーディング行列指標ＰＭＩ１及び第２のプリコーディング行列指標ＰＭＩ２を含み、
前記ＰＭＩ１は、前記プリコーディング行列セット内のコードワードＷ１のセットのうちのコードワードＷ１を示すのに用いられ、前記ＰＭＩ２は、前記少なくとも１つのコードワードＷ２のうちのコードワードＷ２を示すのに用いられる、又は、
前記ＰＭＩは、選択された前記プリコーディング行列を示すのに用いられる、又は、
前記ＰＭＩは、前記プリコーディング行列セットを再符号化した後に取得され、選択された前記プリコーディング行列を示すのに用いられる、
請求項２５に記載のＵＥ。
【請求項２７】
前記基地局へ送信される前記ＰＭＩは、前記少なくとも１つのコードワードＷ２のうちのコードワードＷ２を示すのに用いられるプリコーディング行列指標ＰＭＩ２を含み、前記プリコーディング行列指標ＰＭＩ２は、前記プリコーディング行列セット内のコードワードＷ２の前記セットの４個の状態を表すための２ビットを持つ
請求項２５に記載のＵＥ。
【請求項２８】
請求項１４から２２のいずれか一項に記載の方法をコンピュータに実行させるための、プログラム。
【請求項２９】
コンピュータにより実行された場合、請求項１４から２２のいずれか一項に記載の方法を前記コンピュータに実行させる命令を備える、コンピュータ可読記憶媒体。
【請求項３０】
請求項１から８のいずれか一項に記載の装置と、請求項９から１３のいずれか一項に記載の装置とを備える、通信システム。
【発明の詳細な説明】
【技術分野】
【０００１】
本発明は、通信技術の分野に関するものであり、具体的には、プリコーディング情報の送信技術及びプリコーディング情報のフィードバック技術に関するものである。
【背景技術】
【０００２】
無線通信システムでは、送信端（例えば、基地局）が、ある方式でチャネル状態情報（略してＣＳＩ）を認識することができ、チャネル特性に従って送信予定の信号を最適化し、信号受信品質を向上させ、且つシステム全体の性能を向上させることができる。
【０００３】
しかし、ＣＳＩは、受信端で正確に取得され得ることが多い。ＣＳＩが送信端で取得される必要がある場合、受信端を用いることで、ＣＳＩの関連情報が送信端にフィードバックされる必要がある。例えば、ロングタームエボリューション（ｌｏｎｇ  ｔｅｒｍ  ｅｖｏｌｕｔｉｏｎ、略してＬＴＥ）システムでは、ダブルコードブックを基にした構造が、チャネル情報フィードバックの一態様において提案されている。例えば、ユーザ機器（ｕｓｅｒ  ｅｑｕｉｐｍｅｎｔ、略してＵＥ）が、少なくとも２つのプリコーディング行列指標（ｐｒｅｃｏｄｉｎｇ  ｍａｔｒｉｘ  ｉｎｄｉｃａｔｏｒ、略してＰＭＩ）を基地局にフィードバックする。少なくとも２つのプリコーディング行列指標は、それぞれＰＭＩ１及びＰＭＩ２であり、ＰＭＩ１は、コードブックＣ１のコードワードＷ１に対応し、ＰＭＩ２は、別のコードブックＣ２のコードワードＷ２に対応することが想定されている。基地局は、ＰＭＩ１及びＰＭＩ２を受信した後に、対応するコードワードＷ１及びＷ２を、格納されたコードブックＣ１及びＣ２から見つけ出し、予め設定された関数規則Ｆ（Ｗ１、Ｗ２）に従って、チャネル情報を取得する。
【０００４】
プリコーディング行列の精度は、コードブックの大きさに関連しているので、より大きいコードブックが、より正確なプリコーディング行列に対応する。しかし、より大きいコードブックは、より多くのフィードバックオーバーヘッドビットを必要とする。特に、送信端のアンテナの本数が増加すると、正確なプリコーディング行列には、大量のフィードバックビットが必要になる。
【発明の概要】
【０００５】
本出願は、プリコーディングフィードバックの複雑性を減少させるための、プリコーディング情報の送信方法、プリコーディング情報のフィードバック方法、及び装置を提供する。
【０００６】
一態様によれば、本出願は、プリコーディング情報を送信するための方法を提供し、本方法は、シグナリング指標を基地局により生成する段階であって、当該シグナリング指標は、以下の情報、すなわち、（ｉ）コードブック構造Ｗ＝Ｗ１・Ｗ２に基づくプリコーディング行列セット用のコードワードＷ２のサブセット、（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、（ｉｉｉ）コードブック構造Ｗ＝Ｗ１・Ｗ２に基づくプリコーディング行列セット用のコードワードＷ１のサブセット、（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値、のうち１つ又は複数を示すのに用いられる、段階と、シグナリング指標をユーザ機器ＵＥへ基地局により送信する段階とを含む。
【０００７】
基地局がシグナリング指標をＵＥへ送信し、これにより、コードブックサブセット制限後に取得されたプリコーディング行列セットを、ＵＥが認識した後に、ＵＥは、プリコーディングフィードバックの複雑性を減少させるために、プリコーディング行列セットに合ったプリコーディング行列を選択して、プリコーディング行列指標をフィードバックする。
【０００８】
別の態様によれば、本出願は、プリコーディング情報をフィードバックするための方法を提供し、本方法は、基地局からシグナリング指標をユーザ機器ＵＥにより受信する段階であって、当該シグナリング指標は、以下の情報、すなわち、（ｉ）コードブック構造Ｗ＝Ｗ１・Ｗ２に基づくプリコーディング行列セット用のコードワードＷ２のサブセット、（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、（ｉｉｉ）コードブック構造Ｗ＝Ｗ１・Ｗ２に基づくプリコーディング行列セット用のコードワードＷ１のサブセット、（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値、のうち１つ又は複数を示すのに用いられる、段階と、シグナリング指標に従って、プリコーディング行列をＵＥにより選択する段階であって、選択されたプリコーディング行列は、プリコーディング行列セットに属する、段階と、プリコーディング行列指標ＰＭＩを基地局へＵＥにより送信する段階とを含む。
【０００９】
基地局により送信される、シグナリング指標のプリコーディング行列セットは、コードワードのサブセットである。したがって、基地局により送信されたシグナリング指標に従って、ＵＥがプリコーディング行列を選択する場合、プリコーディング行列を検索する複雑性が減少し、フィードバックオーバーヘッドも減少する。これにより、プリコーディングフィードバックの複雑性が減少する。
【００１０】
上述の態様において、コードワードＷ２のサブセットは、以下のセット、すなわち、列選択ベクトル値が制限されているコードワードＷ２、位相回転重みファクタ値が制限されているコードワードＷ２、並びに列選択ベクトル値及び位相回転重みファクタ値の両方が制限されているコードワードＷ２、のうち１つを含む。サブセットの選択には、複数の選択があり得るので、コードワードＷ２は、柔軟に制限されてよい。
【００１１】
一例では、Ｗ１は、ブロードバンド又はロングタームのチャネル特性に対応する。Ｗ２は、サブバンド又はショートタームのチャネル特性に対応する。Ｗ＝Ｗ１・Ｗ２のコードワードを直接制限する代わりに、各ユーザ又は各サブバンドに柔軟なコードブックサブセット制限を実装するために、Ｗ１及びＷ２が制限される。
【００１２】
一例では、シグナリング指標は、コードブックサブセット制限シグナリングである。任意で、シグナリング指標は、基地局によりＵＥへ送信される無線リソース制御ＲＲＣメッセージ、又はダウンリンク制御情報ＤＣＩを使って搬送される。したがって、基地局は、シグナリング指標をさらに送信する必要がない。
【００１３】
一例では、コードワードＷ１及びＷ２は、基地局に格納されたコードブック内のコードワードであるか、又は、基地局に格納されたコードブック内のコードワードに対して行置換若しくは列置換が実行された後に取得されたプリコーディング行列である。
【００１４】
一例では、本方法はさらに、ＵＥにより送信されたプリコーディング行列指標ＰＭＩを基地局が受信する段階を含み、ＰＭＩにより示されるプリコーディング行列は、プリコーディング行列セットに属する。理解され得るように、ＵＥにより選択されたプリコーディング行列は、汎用コードブックセットではなく、プリコーディング行列セットに属する。したがって、ＵＥは、プリコーディング行列を検索する複雑性を減少させ得る。
【００１５】
ＵＥにより基地局へ送信されたＰＭＩは、第１のプリコーディング行列指標ＰＭＩ１及び第２のプリコーディング行列指標ＰＭＩ２を含み、ＰＭＩ１は、コードワードＷ１を示すのに用いられ、ＰＭＩ２は、コードワードＷ２を示すのに用いられる、又は、ＵＥにより基地局へ送信されたＰＭＩは、ＵＥにより選択されたプリコーディング行列のＰＭＩである、又は、ＵＥにより基地局へ送信されたＰＭＩは、ＵＥがプリコーディング行列セットを再符号化した後に取得され、且つ選択されたプリコーディング行列用のＰＭＩである。
【００１６】
プリコーディング行列指標ＰＭＩ１及びＰＭＩ２は、異なる時間ドメイン粒度、又は異なる周波数ドメイン粒度を有する。
【００１７】
さらに別の態様によれば、本出願はさらに、基地局を提供し、本基地局は、シグナリング指標を生成するように構成されたプロセッサであって、当該シグナリング指標は、以下の情報、すなわち、（ｉ）コードブック構造Ｗ＝Ｗ１・Ｗ２に基づくプリコーディング行列セット用のコードワードＷ２のサブセット、（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、（ｉｉｉ）コードブック構造Ｗ＝Ｗ１・Ｗ２に基づくプリコーディング行列セット用のコードワードＷ１のサブセット、（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値、のうち１つ又は複数を示すのに用いられる、プロセッサと、シグナリング指標をユーザ機器ＵＥへ送信するように構成された送受信機とを含む。
【００１８】
基地局は、上述の態様において説明された方法を実行するように構成されてよい。詳細については、上述の態様の説明を参照されたい。
【００１９】
可能な一設計では、本出願において提供される基地局は、上述の方法設計を使って基地局の処理を実行するように構成された、対応するモジュールを含んでよい。モジュールは、ソフトウェア及び／又はハードウェアであってよい。
【００２０】
本出願のさらに別の態様によれば、ユーザ機器ＵＥが提供され、本ＵＥは、基地局により送信されたシグナリング指標を受信するように構成された送受信機であって、当該シグナリング指標は、以下の情報、すなわち、（ｉ）コードブック構造Ｗ＝Ｗ１・Ｗ２に基づくプリコーディング行列セット用のコードワードＷ２のサブセット、（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、（ｉｉｉ）コードブック構造Ｗ＝Ｗ１・Ｗ２に基づくプリコーディング行列セット用のコードワードＷ１のサブセット、（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値、のうち１つ又は複数を示すのに用いられる、送受信機と、シグナリング指標に従ってプリコーディング行列を選択するように構成されたプロセッサであって、選択されたプリコーディング行列は、プリコーディング行列セットに属する、プロセッサとを含み、送受信機はさらに、プリコーディング行列指標ＰＭＩを基地局へ送信するように構成される。
【００２１】
ＵＥは、上述の態様において説明された方法を実行するように構成されてよい。詳細については、上述の態様の説明を参照されたい。
【００２２】
可能な一設計では、本出願において提供されるＵＥは、上述の方法を使ってＵＥの処理を実行するために、対応するモジュールを含んでよい。モジュールは、ソフトウェア及び／又はハードウェアであってよい。
【００２３】
さらに別の態様によれば、本発明の一実施形態が通信システムを提供する。本システムは、上述の態様において説明された基地局及びＵＥ、又は、基地局、ＵＥ、及びコアネットワークを含む。
【００２４】
さらに別の態様によれば、本発明の一実施形態がコンピュータ記憶媒体を提供し、このコンピュータ記憶媒体は、上述の態様を実行するように設計されたプログラムを含む。
【００２５】
従来技術と比較すると、本出願において提供される解決手段では、コードブックサブセットが基地局側で制限される。コードブックサブセットは、プリコーディング行列セットとして、コードブックから決定され、関連情報がＵＥに示され、これにより、ＵＥは、基地局により決定されたコードブックサブセット（すなわち、プリコーディング行列セット）を認識し、当該コードブックサブセットに従ってプリコーディング行列を選択することができ、その結果、プリコーディング行列を検索する複雑性が減少する。さらに、ＵＥは、選択されたプリコーディング行列のプリコーディング行列指標ＰＭＩを柔軟にフィードバックすることができ、これにより、フィードバックの複雑性が減少する。
【図面の簡単な説明】
【００２６】
本発明の実施形態における技術的解決手段をより明確に説明するために、以下に、これらの実施形態を説明するのに必要とされる添付図面を簡潔に説明する。以下の説明における添付図面は、単に本発明の一部の実施形態を示すに過ぎず、当業者であれば、創造的努力をすることなく、これらの添付図面から他の図面をさらに導き出し得ることは明らかである。
【００２７】
【図１】本発明を実装するための、可能なシステムネットワークの概略図である。
【００２８】
【図２】基地局がプリコーディング情報をＵＥに提供することを示す、論理フローチャートである。
【００２９】
【図３】本発明の一実施形態による基地局の概略構造図である。
【００３０】
【図４】ユーザ機器ＵＥが基地局からプリコーディング情報を受信することを示す、論理フローチャートである。
【００３１】
【図５】本発明の一実施形態によるユーザ機器ＵＥの概略構造図である。
【発明を実施するための形態】
【００３２】
以下に、本発明の実施形態の添付図面を参照して、本発明の実施形態における技術的解決手段を説明する。説明される実施形態は、単に本発明の実施形態の一部に過ぎず、全てではないことは明らかである。本発明の実施形態に基づいて、創造的努力をすることなく当業者により取得された他の全ての実施形態は、本発明の保護範囲に含まれることになる。
【００３３】
本発明の実施形態において説明されるネットワークアーキテクチャ及びサービスシナリオは、本発明の実施形態における技術的解決手段を、より明確に説明することが意図されており、本発明の実施形態において提供される技術的解決手段へのいかなる限定ともみなされるものではない。当業者であれば、ネットワークアーキテクチャが進化し、新たなサービスシナリオが出現しても、本発明の実施形態において提供される技術的解決手段はまた、類似した技術的課題に適用可能であることを認識し得る。
【００３４】
図１は、本発明による可能なシステムネットワークの概略図である。図１に示されるように、少なくとも１つのユーザ機器ＵＥ１０が、無線アクセスネットワーク（ｒａｄｉｏ  ａｃｃｅｓｓ  ｎｅｔｗｏｒｋ、略してＲＡＮ）と通信する。ＲＡＮには、少なくとも１つの基地局２０（ｂａｓｅ  ｓｔａｔｉｏｎ、略してＢＳ）が含まれる。明確さを目的に、図には、１つの基地局及び１つのＵＥだけが示されている。ＲＡＮは、コアネットワーク（ｃｏｒｅ  ｎｅｔｗｏｒｋ、略してＣＮ）に接続されている。任意で、ＣＮは、１つ又は複数の外部ネットワーク（ｅｘｔｅｒｎａｌ  ｎｅｔｗｏｒｋ）、例えば、インターネット、又は公衆交換電話網（ｐｕｂｌｉｃ  ｓｗｉｔｃｈｅｄ  ｔｅｌｅｐｈｏｎｅ  ｎｅｔｗｏｒｋ、略してＰＳＴＮ）に連結されてもよい。
【００３５】
理解を容易にするために、本出願に含まれるいくつかの用語が以下に説明される。
【００３６】
本出願では、「ネットワーク」及び「システム」という用語が、交互に用いられることが多いが、当業者であれば、これらの用語の意味を理解し得るであろう。ユーザ機器（英語表記：ｕｓｅｒ  ｅｑｕｉｐｍｅｎｔ、略してＵＥ）は、通信機能を有する端末デバイスであり、ハンドヘルド型デバイス、車載型デバイス、ウェアラブル型デバイス、又は、無線通信機能を有する演算処理デバイス、無線モデムに接続された別の処理デバイスなどを含んでよい。ユーザ機器は、異なるネットワークにおいて異なる名前を有する場合があり、例えば、端末、移動局、ユーザユニット、局、携帯電話、携帯情報端末、無線モデム、無線通信デバイス、ハンドヘルド型デバイス、ラップトップコンピュータ、コードレス電話セット、及び無線ローカルループ局などである。説明の便宜上、本出願では、これらの名前は簡潔に、ユーザ機器又はＵＥと呼ばれる。基地局（ｂａｓｅ  ｓｔａｔｉｏｎ、略してＢＳ）は、基地局デバイスとも呼ばれ、無線アクセスネットワーク内に配置された、無線通信機能を提供するデバイスである。基地局は、異なる無線アクセスシステムにおいて、異なる名前を有することがある。例えば、基地局は、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、略してＵＭＴＳ）ネットワークではＮｏｄｅＢ（ＮｏｄｅＢ）と呼ばれ、一方で基地局は、ＬＴＥネットワークでは進化型ＮｏｄｅＢ（ｅｖｏｌｖｅｄ  ＮｏｄｅＢ、略してｅＮＢ又はｅＮｏｄｅＢ）と呼ばれる。
【００３７】
多入力多出力（Ｍｕｌｔｉｐｌｅ  Ｉｎｐｕｔ  Ｍｕｌｔｉｐｌｅ  Ｏｕｔｐｕｔ、略してＭＩＭＯ）技術を用いるシステムでは、チャネル特性が、異なるアンテナ構成及び異なる応用シナリオによって異なり、コードブックに関する要件も異なる。例えば、３次元多入力多出力（３Ｄ−ＭＩＭＯ）システムにおいて、アーバンマイクロ（Ｕｒｂａｎ  Ｍｉｃｒｏ、略してＵＭｉ）のシナリオでは、基地局の高さより低く分布しているユーザもいれば、基地局の高さより高く分布しているユーザもいるので、コードブックをプリコーディングする際に、鉛直方向の分布の特徴を考慮する必要がある。しかし、アーバンマクロ（Ｕｒｂａｎ  Ｍａｃｒｏ、略してＵＭａ）のシナリオでは、ユーザは基本的に、基地局の高さより低く分布している。したがって、コードブックをプリコーディングする際に、水平方向分布のチャネル特性を考慮する必要がある。コードブックが、ＵＭｉシナリオ及びＵＭａシナリオの両方に適用される場合、これらのチャネル特性は、コードブックにより満たされる必要がある。したがって、コードブックセットが極めて大きくなり、複雑性が高く、フィードバック量が比較的大きくなる。
【００３８】
本発明の実施形態が、プリコーディング情報送信の解決手段、及びプリコーディング情報フィードバックの解決手段を提供する。これらの解決手段は、図１に示されるシステムに適用され得る。プリコーディング行列セットを選択する場合、送信端（例えば、基地局）が、コードブックサブセット制限（ｃｏｄｅｂｏｏｋ  ｓｕｂｓｅｔ  ｒｅｓｔｒｉｃｔｉｏｎ、略してＣＳＲ）を実行する。すなわち、高次レイヤのシグナリングのオーバーヘッドを減少させるために、格納されたコードブックからコードブックサブセットを選択し、シグナリング指標を用いることで、制限されたコードブックサブセット（すなわち、プリコーディング行列セット）を受信端（例えば、ＵＥ）に示す。受信端は、送信端により送信されたシグナリング指標に従って、コードブックサブセット制限後に取得されたコードブックサブセットからプリコーディング行列を選択し、対応するプリコーディング行列指標ＰＭＩをフィードバックする。これにより、プリコーディング行列を検索する複雑性が減少し、フィードバックオーバーヘッドが減少する。
【００３９】
理解を容易にするために、本発明の本出願は、第３世代パートナーシッププロジェクト（英語表記：３ｒｄ  Ｇｅｎｅｒａｔｉｏｎ  Ｐａｒｔｎｅｒｓｈｉｐ  Ｐｒｏｊｅｃｔ、略して３ＧＰＰ）において定義されたＬＴＥネットワークを一例として用いることで、詳細に説明される。当業者であれば、本発明の実施形態における解決手段が別の無線通信ネットワーク、例えば、ＵＭＴＳネットワーク、ＬＴＥと後方互換性のあるネットワーク、５Ｇネットワーク、又はその後の進化型ネットワークに適用され得ることを理解し得るであろう。
【００４０】
基地局は、１つ又は複数のコードブックを格納する。例えば、基地局は、ブロードバンド又はロングタームのチャネル特性を表すコードブックＣ１、及びサブバンド又はショートタームのチャネル特性を表すコードブックＣ２を格納してよい。コードブックＣ１は、少なくとも１つのコードワードＷ１（プリコーディング行列Ｗ１とも呼ばれる）を含み、これは、ブロードバンド又はロングタームのチャネル特性に対応する。コードブックＣ２は、少なくとも１つのコードワードＷ２を含み、これは、サブバンド又はショートタームのチャネル特性に対応する。別の例では、基地局は、コードブックＣ１及びＣ２に基づいて合成されたコードブックＣを格納してよい。コードブックＣは、コードワードＷを含む。コードワードＷは、Ｗ＝Ｗ１・Ｗ２を満たし、コードワードＷ１は、ブロードバンド又はロングタームのチャネル特性に対応し、コードワードＷ２は、サブバンド又はショートタームのチャネル特性に対応する。すなわち、コードブックＣは、ダブルコードブック構造を有する。本発明の実施形態は、ダブルコードブック構造に基づき得ること、又は複数のコードブック構造に基づき得ることが、理解され得る。
【００４１】
基地局は、プリコーディング行列セットを選択するために、コードブックサブセット制限（ｃｏｄｅｂｏｏｋ  ｓｕｂｓｅｔ  ｒｅｓｔｒｉｃｔｉｏｎ、略してＣＳＲ）を実行する。コードブックサブセット制限は、複数の方法を用いることで実行されてよい。例えば、基地局は、サブバンド若しくはショートタームのチャネル特性を表すコードワードＷ２の選択範囲を制限（すなわち、コードワードＷ２の元の値範囲のサブセットを選択）してよく、ブロードバンド若しくはロングタームのチャネル特性を表すコードワードＷ１の選択範囲を制限（すなわち、Ｗ１の元の値範囲のサブセットを選択）してよく、又は、Ｗ１及びＷ２の両方の選択範囲を制限（すなわち、Ｗ１及びＷ２の元の値範囲のサブセットを選択）してよい。基地局は、シグナリング指標を用いることで、コードブックサブセット制限情報をユーザ機器ＵＥに提供する。
【００４２】
ＵＥは、基地局により選択されたプリコーディング行列セットを認識するために、基地局からシグナリング指標を受信し、コードブックサブセット制限情報を認識する。ＵＥはまた、１つ又は複数のコードブックを格納する。例えば、同じ本数のアンテナを用いるコードブックの場合、基地局及びＵＥは、同じコードブックを格納する。例えば、基地局は、コードブックＣ１及びＣ２、並びに／又は合成されたコードブックＣを格納し、ＵＥも、同じコードブックＣ１及びＣ２、並びに／又は合成された同じコードブックＣを格納する。別の例では、代わりに基地局が合成されたコードブックＣを格納してよく、ＵＥがコードブックＣ１及びＣ２を格納する。逆もまた同様であり、すなわち、ＵＥが合成されたコードブックＣを格納し、基地局がコードブックＣ１及びＣ２を格納する。ＵＥは、基地局により送信されたシグナリング指標を受信し、当該シグナリング指標に従って、格納されたコードブックからプリコーディング行列を選択し、選択されたプリコーディング行列指標ＰＭＩを基地局へ返す。したがって、フィードバックオーバーヘッドが減少し、ユーザによるプリコーディング行列の検索の複雑性が減少する。
【００４３】
以下では、基地局がコードブックサブセット制限をどのように実行するかを、さらに説明する。
【００４４】
コードワードＷ２の選択範囲が制限された（すなわち、コードブックサブセット制限がコードワードＷ２に対して実行された）一例が、詳細な説明に用いられている。コードワードＷ２は、サブバンド又はショートタームのチャネル特性を表すコードワードである。したがって、コードワードＷ２が制限される場合、コードブックサブセット制限は、各ユーザ又は各サブバンドに対して柔軟に実行されてよい。
【００４５】
ある設計において、基地局は、コードワードＷ２の列選択ベクトル値を制限し得る。一部のシナリオでは、サブバンド間のチャネルの空間相関が比較的一致する（あまり変化しない）ので、各サブバンドは、コードワードＷ１で提供されるＭ個（Ｍは正の整数）の離散フーリエ変換（Ｄｉｓｃｒｅｔｅ  Ｆｏｕｒｉｅｒ  Ｔｒａｎｓｆｏｒｍ、略してＤＦＴ）ベクトルの選択を実行する必要はなく、Ｍ個の離散フーリエ変換ベクトルにおいて、Ｋ個（Ｋ＜Ｍ）のＤＦＴベクトルの選択を実行する必要がある。したがって、コードワードＷ２の選択範囲が制限され得る。
【００４６】
別の設計において、基地局は、コードワードＷ２の選択範囲を制限するために、コードワードＷ２の位相回転重みファクタ値を制限し得る。
【００４７】
さらに別の設計において、基地局は、コードワードＷ２の選択範囲を制限するために、コードワードＷ２の列ベクトル値及び位相回転重みファクタ値の両方を制限する。
【００４８】
コードワードＷ２は、サブバンド又はショートタームのチャネル特性を示す。したがって、特定のユーザに対する制限、及び／又は特定のサブバンドに対する制限が、実装され得る。すなわち、異なるユーザ及び／又は異なるサブバンド幅では、柔軟な制限という特徴を実装するために、コードブックサブセット制限の範囲（又は値）が異なってよい。基地局は、コードブックサブセット制限情報をＵＥに示してよい。ＵＥは、コードブックサブセット制限後に取得されたコードブックに対して、プリコーディングフィードバックを実行する。フィードバックオーバーヘッドが大幅に減少し得、これにより、プリコーディング検索の複雑性が減少し得る。
【００４９】
一例として、８本アンテナのＬＴＥシステムを用いて、異なるコードブック構造の説明が、以下にさらに与えられる。本発明の実施形態において提供される解決手段は、複数のアンテナを有するシステム、例えば、１６本アンテナシステム、又は３２本アンテナシステムにも適用可能であることが、理解され得るであろう。
【００５０】
８本アンテナのＬＴＥシステムのシナリオでは、Ｗ＝Ｗ１・Ｗ２であり、ここで、
【数１】
0006733938.tif 000002
【数２】
0006733938.tif 000003
であり、ｂｍは、ＤＦＴベクトルであり、Ｘｌは、Ｍ個のＤＦＴベクトルを含み、Ｍは正の整数である。
【００５１】
例えば、Ｍ＝４の場合、Ｘｌは、４本のＤＦＴビームを含み、
【数３】
0006733938.tif 000004
である。
【００５２】
別の例では、Ｍ＝３２の場合、Ｘｌ´及びＸｌは、同じであってよく、又は異なってもよい。例えば、
【数４】
0006733938.tif 000005
であり、ここで、ｍ１、ｍ２、及びｍ３は、実数を表し、Ｎは正の整数、例えば、Ｎ＝３２又は１６である。
【００５３】
任意で、
【数５】
0006733938.tif 000006
におけるＸｌ´及びＸｌは、
【数６】
0006733938.tif 000007
及び
【数７】
0006733938.tif 000008
を満たすことができ、ここで、
【数８】
0006733938.tif 000009
は、クロネッカー（Ｋｒｏｎｅｃｋｅｒ）演算子を表し、Ｘ１、Ｘ２、Ｘ１´、及びＸ２´は行列を表す。例えば、Ｘ１及びＸ１´はそれぞれ、チャネル水平次元及びチャネル鉛直次元に対応するベクトルにより形成される行列を表す。Ｘ２及びＸ２´はそれぞれ、チャネル鉛直次元及びチャネル水平次元に対応するベクトルにより形成される行列を表す。例えば、
【数９】
0006733938.tif 000010
及び
【数１０】
0006733938.tif 000011
である。
【００５４】
ランクが１の場合、Ｗ２は、
【数１１】
0006733938.tif 000012
として表されてよく、ここで、ａは定数であり、φｎ＝ｅｊξは、位相回転重みファクタ（ｃｏ−ｐｈａｓｉｎｇ）であって、これは、異なる偏波アンテナに対する重み値を表す。例えば、φｎ＝ｅｊξ＝ｅｊ２ｎπ／４、ｎ＝｛０、１、２、３｝である。一般に、異なる偏波間の相関が比較的弱い場合、対応する位相重み値φｎに対応する位相差ξは、大きく異なり、例えば、ξ＝π、すなわち、ｎ＝１又は３の場合である。異なるアンテナ偏波間の相関が比較的強い場合、対応する位相重み値φｎに対応する位相差ξは、ほとんど異なることがなく、例えば、ξ＝２π／４、すなわち、ｎ＝１又は２の場合である。Ｙ１及びＹ２は、（Ｍ×１）次元の列選択ベクトルを表しており、Ｗ１の列（又はＤＦＴベクトル）を選択することを意図している。
【００５５】
一例において、
【数１２】
0006733938.tif 000013
であり、ここで、Ｙ１及びＹ２は同じであってよく、又は異なってもよい。コードブックサブセット制限が、Ｗ２に対して実行される場合、列選択ベクトルＹ１及びＹ２の値範囲は、元の値範囲の任意のサブセットであることに制限されてよい。例えば、
【数１３】
0006733938.tif 000014
又は、
【数１４】
0006733938.tif 000015
に設定される。すなわち、Ｗ２は、Ｗ１の最初の２つの列ベクトル、又はＷ１の最初の列ベクトル及び最後の列ベクトルから選択されることに制限される。別の例では、Ｗ２は、Ｗ１の最初の列ベクトル及び３番目の列ベクトルから選択されてよい。任意で、コードブックサブセット制限がＷ２に対して実行される場合、位相回転重みファクタ（ｃｏ−ｐｈａｓｉｎｇ）φｎ＝ｅｊ２ｎπ／４、ｎ＝｛０、１｝又はｎ＝｛０、２｝が制限され得る。すなわち、位相回転重みファクタ（ｃｏ−ｐｈａｓｉｎｇ）φｎが選択され得る範囲が、元の値範囲の任意のサブセットであることに制限される。例えば、
【数１５】
0006733938.tif 000016
又は、
【数１６】
0006733938.tif 000017
に設定される。確かに、列選択ベクトルの選択範囲、及び位相回転重みファクタの選択範囲の両方が制限され得ること、すなわち、列選択ベクトルの値範囲、及び位相重みファクタの値範囲の両方が、列選択ベクトル及び位相重みファクタの元の値範囲のサブセットであることに制限されることが、理解され得るであろう。
【００５６】
別の例では、Ｙ１及びＹ２は、
【数１７】
0006733938.tif 000018
として表されてよく、ここで、ｙ１１、ｙ１２、ｙ２１、及びｙ２２は、列選択ベクトルを表す。例えば、ｙ１１、ｙ１２、ｙ２１、及びｙ２２のうち少なくとも１つが、
【数１８】
0006733938.tif 000019
に属し、又は、ｙ１１、ｙ１２、ｙ２１、及びｙ２２のうち少なくとも１つが、
【数１９】
0006733938.tif 000020
に属する。コードブックサブセット制限がＷ２に対して実行される場合、ｙ１１、ｙ１２、ｙ２１、及びｙ２２の値が別々に制限されてよく、すなわち、これらの値範囲が、元の値範囲のサブセットであることに制限されるか、又は、ｙ１１、ｙ１２、ｙ２１、及びｙ２２の組み合わせの値が制限されてよく、すなわち、当該値が、元の組み合わせの値範囲のサブセットであることに制限される。
【００５７】
ランクが２の場合、
【数２０】
0006733938.tif 000021
又は
【数２１】
0006733938.tif 000022
であり、ここで、ｂは定数であり、φｎ＝ｅｊξは位相回転重みファクタ（ｃｏ−ｐｈａｓｉｎｇ）である。例えば、
【数２２】
0006733938.tif 000023
である。Ｙ１及びＹ２は、（Ｍ×１）次元の列選択ベクトルを表しており、例えば、
【数２３】
0006733938.tif 000024
である。コードブックサブセット制限がＷ２に対して実行される場合、Ｙ１及びＹ２の値は、元の値範囲のサブセットであることに制限され得る。例えば、
【数２４】
0006733938.tif 000025
又は、
【数２５】
0006733938.tif 000026
に設定される。
【００５８】
任意で、Ｙ１及びＹ２は、
【数２６】
0006733938.tif 000027
として表されてよく、ここで、ｙ１１、ｙ１２、ｙ２１、及びｙ２２は、列選択ベクトルを表す。例えば、ｙ１１、ｙ１２、ｙ２１、及びｙ２２のうち少なくとも１つが、
【数２７】
0006733938.tif 000028
に属し、又は、ｙ１１、ｙ１２、ｙ２１、及びｙ２２のうち少なくとも１つが、
【数２８】
0006733938.tif 000029
に属する。コードブックサブセット制限がＷ２に対して実行される場合、ｙ１１、ｙ１２、ｙ２１、及びｙ２２の値が別々に制限されてよく、すなわち、これらの値範囲が、元の値範囲のサブセットであることに制限されるか、又は、ｙ１１、ｙ１２、ｙ２１、及びｙ２２の組み合わせの値が制限されてよく、すなわち、当該値が、元の組み合わせの値範囲のサブセットであることに制限される。
【００５９】
ランクが３の場合、
【数２９】
0006733938.tif 000030
又は
【数３０】
0006733938.tif 000031
であり、ここで、ｂは定数であり、φｎ＝ｅｊξは位相回転重みファクタ（ｃｏ−ｐｈａｓｉｎｇ）である。例えば、
【数３１】
0006733938.tif 000032
である。Ｙ１及びＹ２は、（Ｍ×１）次元の列選択行列を表しており、例えば、
【数３２】
0006733938.tif 000033
及び
【数３３】
0006733938.tif 000034
である。コードブックサブセット制限がコードワードＷ２に対して実行される場合、ランクが２の場合と同様に、列選択ベクトルＹ１及びＹ２の値が、上述の値の任意のサブセットであることに制限されてよい。例えば、Ｗ２は、Ｗ１の最初の２つの列ベクトル、Ｗ１の最初の列ベクトル及び最後の列ベクトル、又はＷ１の最初の列ベクトル及び３番目の列ベクトルなどの選択組み合わせから選択されることに制限され得る。任意で、コードブックサブセット制限がＷ２に対して実行される場合、位相回転重みファクタ（ｃｏ−ｐｈａｓｉｎｇ）φｎ＝ｅｊ２ｎπ／４、ｎ＝｛０、１｝又はｎ＝｛０、２｝が制限され得る。すなわち、選択された位相回転重みファクタ（ｃｏ−ｐｈａｓｉｎｇ）φｎが、元の値のサブセットであることに制限される。確かに、上述の制限又は別の組み合わせの制限が、列選択ベクトルの選択範囲、及び位相回転重みファクタの選択範囲の両方に対して実行されてよいことが理解され得るであろう。
【００６０】
任意で、Ｙ１及びＹ２は、
【数３４】
0006733938.tif 000035
として表されてよく、ここで、ｙ１１、ｙ１２、ｙ２１、及びｙ２２は、列選択ベクトルを表す。例えば、ｙ１１が
【数３５】
0006733938.tif 000036
に属し、又は、ｙ１２が
【数３６】
0006733938.tif 000037
に属し、及び、ｙ２１が
【数３７】
0006733938.tif 000038
に属し、又は、ｙ２２が
【数３８】
0006733938.tif 000039
に属する。ランクが２の場合と同様に、コードブックサブセット制限がＷ２に対して実行される場合、ｙ１１、ｙ１２、ｙ２１、及びｙ２２の値が別々に制限されてよく、すなわち、これらの値範囲が、元の値範囲のサブセットであることに制限されるか、又は、ｙ１１、ｙ１２、ｙ２１、及びｙ２２の組み合わせの値が制限されてよく、すなわち、当該値が、元の組み合わせの値範囲のサブセットであることに制限される。
【００６１】
ランクが４の場合、
【数３９】
0006733938.tif 000040
又は
【数４０】
0006733938.tif 000041
であり、ここで、ｂは定数であり、φｎ＝ｅｊξは位相回転重みファクタ（ｃｏ−ｐｈａｓｉｎｇ）である。例えば、
【数４１】
0006733938.tif 000042
である。Ｙ１及びＹ２は、（Ｍ×１）次元の列選択行列を表しており、例えば、
【数４２】
0006733938.tif 000043
及び
【数４３】
0006733938.tif 000044
である。コードブックサブセット制限がＷ２に対して実行される場合、ランクが２の場合と同様に、列選択ベクトルＹ１及びＹ２の値が、上述の値の任意のサブセットであることに制限されてよい。例えば、Ｗ２は、Ｗ１の最初の２つの列ベクトル、Ｗ１の最初の列ベクトル及び最後の列ベクトル、又はＷ１の最初の列ベクトル及び３番目の列ベクトルなどの選択組み合わせから選択されることに制限され得る。任意で、コードブックサブセット制限がＷ２に対して実行される場合、位相回転重みファクタ（ｃｏ−ｐｈａｓｉｎｇ）φｎ＝ｅｊ２ｎπ／４、ｎ＝｛０、１｝又はｎ＝｛０、２｝が制限され得る。すなわち、選択された位相回転重みファクタ（ｃｏ−ｐｈａｓｉｎｇ）φｎが、元の値のサブセットであることに制限される。確かに、上述の制限又は別の組み合わせの制限が、列選択ベクトルの選択範囲、及び位相回転重みファクタの選択範囲の両方に対して実行されてよいことが理解され得るであろう。
【００６２】
任意で、Ｙ１及びＹ２は、
【数４４】
0006733938.tif 000045
として表されてよく、ここで、ｙ１１、ｙ１２、ｙ２１、及びｙ２２は、列選択ベクトルを表す。例えば、ｙ１１が
【数４５】
0006733938.tif 000046
に属し、又は、ｙ１２が
【数４６】
0006733938.tif 000047
に属し、及び、ｙ２１が
【数４７】
0006733938.tif 000048
に属し、又は、ｙ２２が
【数４８】
0006733938.tif 000049
に属する。ランクが２の場合と同様に、コードブックサブセット制限がＷ２に対して実行される場合、ｙ１１、ｙ１２、ｙ２１、及びｙ２２の値が別々に制限されてよく、すなわち、これらの値範囲が、元の値範囲のサブセットであることに制限されるか、又は、ｙ１１、ｙ１２、ｙ２１、及びｙ２２の組み合わせの値が制限されてよく、すなわち、当該値が、元の組み合わせの値範囲のサブセットであることに制限される。
【００６３】
上述の例において、コードブックサブセット制限が、Ｗ２の選択範囲を制限することで実装される。例えば、Ｗ２の列選択ベクトルＹ１及びＹ２の値範囲、及び／又は位相回転ファクタφｎ＝ｅｊξの値範囲が制限されてよく、これらの値範囲が元の値範囲のサブセットであることに制限される。すなわち、汎用セットの一部の値が選択される。したがって、特定のユーザ及び／又は特定のサブバンドに対する制限が実装される。すなわち、コードブックサブセット制限の範囲（又は値）が、ユーザ及び／又は異なるサブバンド幅ごとに異なり、これにより、コードブックサブセット制限がより柔軟になる。コードブック制限が、ユーザの異なる環境又は異なるチャネル状態に従って実行されてよく、フィードバックオーバーヘッドが、コードブック再符号化フィードバックによって減少する。
【００６４】
Ｗ１の選択範囲が、上述したＷ２の選択範囲の制限に関する類似の原理を参照することで、制限されてよいことが理解され得るであろう。Ｗ１のコードブックサブセットが選択されるか、又はＷ１及びＷ２の選択範囲が両方とも制限され、これらの元の値範囲のサブセットが選択される。
【００６５】
図２は、基地局がプリコーディング情報をＵＥに提供することを示す論理フローチャートである。
【００６６】
２１１で、基地局２０は、シグナリング指標を生成する。
【００６７】
具体的には、基地局は、コードブックサブセット（すなわち、プリコーディング行列セット）を格納されたコードブックから決定し、決定されたコードブックサブセットに従って、シグナリング指標を生成する。すなわち、基地局は、コードブックサブセット制限を格納されたコードブックに対して実行するという状況に従って、シグナリング指標を生成する。
【００６８】
ＬＴＥシステムにおけるダブルコードブック構造Ｗ＝Ｗ１・Ｗ２が、説明の一例として引き続き用いられる。詳細については、上述の実施形態の関連説明を参照されたい。コードワードＷ１は、ブロードバンド又はロングタームのチャネル特性に対応し、コードワードＷ２は、サブバンド又はショートタームのチャネル特性に対応する。基地局により選択されたプリコーディング行列セットについては、コードブックサブセット制限が、上述の実施形態におけるコードブックサブセット制限方法を参照することで、Ｗ１及び／又はＷ２に対して実行され得るので、詳細はここで説明しない。例えば、Ｗ２では、列選択ベクトルの値が制限されるか、又は位相回転重みファクタの値が制限されるか、又は、列ベクトルの値及び位相回転重みファクタの値が両方とも制限される。詳細については、上述の実施形態の説明を参照されたい。
【００６９】
２１２で、基地局２０は、シグナリング指標をＵＥ１０へ送信する。シグナリング指標は、コードブックサブセット、すなわち、プリコーディング行列セットを選択するように、基地局に命令するために用いられる。
【００７０】
一例において、基地局２０は、コードブックサブセット制限（ｃｏｄｅｂｏｏｋ  ｓｕｂｓｅｔ  ｒｅｓｔｒｉｃｔｉｏｎ）命令を用いることで、プリコーディング行列セットに対応するＷ２のサブセットを示してよい。サブセットについては、列選択ベクトルの値が、Ｗ２のために制限されてよく、サブセットについては、位相回転重みファクタの値が、Ｗ２のために制限されてよく、サブセットについては、列選択ベクトルの値及び位相回転重みファクタの値が両方とも、Ｗ２のために制限されてよい。Ｗ２のサブセットに関する関連説明については、上述のコードブックサブセット制限方法の説明を参照されたい。詳細はここで説明しない。
【００７１】
別の例において、基地局２０は、コードブックサブセット制限命令を用いることで、プリコーディング行列セットの第２のプリコーディング行列指標ｉ２の値を示してよく、ここで、ｉ２は、Ｗ２を示すのに用いられる。
【００７２】
例えば、ランクが１の場合、ｉ２とプリコーディング行列との間の対応関係が、以下のように表され得ることが、ＬＴＥ規格において規定されている。
【表１】
0006733938.tif 000050
ここで、
【数４９】
0006733938.tif 000051
であり、ｉ１は１６通りの選択を有して１６個のＷ１を表し、ｉ２も１６通りの選択を有して１６個のＷ２を表す。
【００７３】
ｉ２は、４グループに分割され得る。第１のｉ２グループの値が、｛０、１、２、３｝であり、第２のｉ２グループの値が、｛４、５、６、７｝であり、第３のｉ２グループの値が、｛８、９、１０、１１｝であり、第４のｉ２グループの値が、｛１２、１３、１４、１５｝である。同じグループのプリコーディングベクトルが、同じ列ベクトルに対応するが、偏波重み係数（ｃｏ−ｐｈａｓｉｎｇ）は、
【数５０】
0006733938.tif 000052
である。
【００７４】
ｉ２の値範囲が、ｉ２制限に基づくコードブックサブセット制限によって、｛０、１、２、３、１２、１３、１４、１５｝であることに制限される場合、プリコーディング行列は、第１のグループ及び第４のグループであることに制限される。対応するＷ２の列ベクトルが、Ｗ１の最初の列及び４番目の列のベクトルから選択される。
【００７５】
別の例では、ｉ２の値範囲が、ｉ２制限に基づくコードブックサブセット制限によって、｛０、２、４、６、８、１０、１２、１４｝であることに制限される場合、プリコーディング行列は、各グループの最初及び３番目のプリコーディング行列であることに制限される。対応するＷ２の列ベクトルが、Ｗ１の各列ベクトルから選択されるが、それに対応して、
【数５１】
0006733938.tif 000053
となる。
【００７６】
ランクが２の場合、ｉ２とプリコーディング行列との間の対応関係が、以下のように表され得ることが、ＬＴＥ規格において規定されている。
【表２】
0006733938.tif 000054
ここで、
【数５２】
0006733938.tif 000055
であり、ｉ１は１６通りの選択を有して１６個のＷ１を表し、ｉ２も１６通りの選択を有して１６個のＷ２を表す。
【００７７】
ｉ２は、８グループに分割され得る。第１のｉ２グループの値が｛０、１｝であり、第２のｉ２グループの値が｛２、３｝であり、第３のｉ２グループの値が｛４、５｝であり、第４のｉ２グループの値が｛６、７｝であり、第５のｉ２グループの値が｛８、９｝であり、第６のｉ２グループの値が｛１０、１１｝であり、第７のｉ２グループの値が｛１２、１３｝であり、第８のｉ２グループの値が｛１４、１５｝である。第１から第８のグループはそれぞれ、列ベクトルの組み合わせに対応する。
【００７８】
例えば、第１のグループＷ２では、２つの選択された列ベクトルが、Ｗ１の最初の列ベクトルに対応し、第２のグループＷ２では、２つの選択された列ベクトルが、Ｗ１の２番目の列ベクトルに対応し、第３のグループＷ２では、２つの選択された列ベクトルが、Ｗ１の３番目の列ベクトルに対応し、第４のグループＷ２では、２つの選択された列ベクトルが、Ｗ１の４番目の列ベクトルに対応し、第５のグループＷ２では、２つの選択された列ベクトルが、Ｗ１の最初の列ベクトル及び２番目の列ベクトルにそれぞれ対応し、第６のグループＷ２では、２つの選択された列ベクトルが、Ｗ１の２番目の列ベクトル及び３番目の列ベクトルにそれぞれ対応し、第７のグループＷ２では、２つの選択された列ベクトルが、Ｗ１の最初の列ベクトル及び４番目の列ベクトルにそれぞれ対応し、第８のグループＷ２では、２つの選択された列ベクトルが、Ｗ１の２番目の列ベクトル及び４番目の列ベクトルにそれぞれ対応する。
【００７９】
各グループの２つのプリコーディングベクトルは、同じ列ベクトル選択に対応するが、偏波重みベクトルが異なり、
【数５３】
0006733938.tif 000056
となる。
【００８０】
ｉ２の値範囲が、ｉ２制限に基づくコードブックサブセット制限によって、｛０、１、２、３、４、５、６、７｝であることに制限される場合、プリコーディング行列セットの値は、最初の４グループの組み合わせであることに制限される。
【００８１】
別の例では、ｉ２の値範囲が、ｉ２制限に基づくコードブックサブセット制限によって、｛０、２、４、６、８、１０、１２、１４｝であることに制限される場合、プリコーディング行列は、各グループの最初及び２番目のプリコーディング行列であることに制限される。対応するＷ２の列ベクトルが、Ｗ１の各列ベクトルから選択されるが、それに対応して、φｎ＝１となる。
【００８２】
さらに別の例では、基地局２０は、プリコーディング行列セットに対応するＷ１のサブセット、又はプリコーディング行列セットの第１のプリコーディング行列指標ｉ１の値を、コードブックサブセット制限命令を用いることで示す。
【００８３】
ランクが１の場合、ｉ１とプリコーディング行列との間の対応関係が、以下のように表され得ることが、ＬＴＥ規格において規定されている。
【表３】
0006733938.tif 000057
ここで、
【数５４】
0006733938.tif 000058
であり、ｉ１は１６通りの値を有し、これらの値が１６個のＷ１に対応する。
【００８４】
ｉ１は、コードブックサブセット制限によって制限され得るので、Ｗ１の選択範囲は制限される。例えば、ｉ１の値範囲が｛０、２、４、６、８、１０、１２、１４｝である場合、Ｗ１に対応するプリコーディング行列の８グループの列ベクトル連続番号｛２ｉ１、２ｉ１＋１、２ｉ１＋２、２ｉ１＋３｝が存在し、８グループの列ベクトル連続番号とは、｛０、１、２、３｝、｛４、５、６、７｝、｛８、９、１０、１１｝、｛１２、１３、１４、１５｝、｛１６、１７、１８、１９｝、｛２０、２１、２２、２３｝、｛２４、２５、２６、２７｝、及び｛２８、２９、３０、３１｝である。
【００８５】
上述の例では、コードブックサブセット制限シグナリングは、無線リソース制御（ｒａｄｉｏ  ｒｅｓｏｕｒｃｅ  ｃｏｎｔｒｏｌ、略してＲＲＣ）メッセージ、又はダウンリンク制御情報（ｄｏｗｎｌｉｎｋ  ｃｏｎｔｒｏｌ  ｉｎｆｏｒｍａｔｉｏｎ、略してＤＣＩ）を用いることで搬送され得る。
【００８６】
上述の例において、基地局２０によりＵＥ１０へ送信されたシグナリングに示されているＷ２、ｉ２、Ｗ１、及びｉ１の値は、単に例であるに過ぎず、本発明は、これらの例に限定されないことが理解され得るであろう。基地局２０は、必要性に従って、Ｗ２、ｉ２、Ｗ１、及びｉ１の元の値範囲からなる任意のサブセットを、格納されたコードブックから選択し、当該サブセットをＵＥ１０に示してよい。
【００８７】
加えて、基地局はさらに、参照信号をＵＥへ送信してよい。参照信号は、以下の参照信号、すなわち、チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ、略してＣＳＩ  ＲＳ）、復調参照信号（ｄｅｍｏｄｕｌａｔｉｏｎ  ＲＳ、略してＤＭ  ＲＳ）、及びセル固有の参照信号（ｃｅｌｌ−ｓｐｅｃｉｆｉｃ  ＲＳ、略してＣＲＳ）のうち１つ又は複数を含む。
【００８８】
図３は、基地局の概略構造図である。基地局は、図１に示されるシステムに適用されてよい。基地局２０は、１つ又は複数の遠隔無線ユニット（英語表記：ｒｅｍｏｔｅ  ｒａｄｉｏ  ｕｎｉｔ、略してＲＲＵ）２０１と、１つ又は複数のベースバンドユニット（英語表記：ｂａｓｅｂａｎｄ  ｕｎｉｔ、略してＢＢＵ）２０２とを含む。ＲＲＵ２０１はまた、送受信機ユニット、送受信機械、送受信回路、送受信機などと呼ばれることがあり、少なくとも１つのアンテナ２０１１と、無線周波数ユニット２０１２とを含んでよい。ＲＲＵ２０１は、無線周波数信号を受信及び送信し、無線周波数信号及びベースバンド信号を変換するように構成され、例えば、上述の実施形態において説明されたシグナリング指標及び／又は参照信号をユーザ機器へ送信するように構成される。ＢＢＵ２０２は主に、ベースバンド処理の実行、基地局の制御などを行うように構成される。ＲＲＵ２０１及びＢＢＵ２０２は、物理的に共に配置されてよく、又は、物理的に分かれてもよく、すなわち分散基地局であってもよい。
【００８９】
ＢＢＵ２０２は、基地局の中央制御部であり、処理ユニットとも呼ばれ、例えば、チャネル符号化、多重化、変調、スペクトル拡散といったベースバンド処理機能を果たすように構成される。例えば、ＢＢＵ（処理ユニット）は、基地局を制御して、図２に示される手順を実行するように構成されてよい。
【００９０】
一例において、ＢＢＵ２０２は、１つ又は複数のボードを含んでよい。複数のボードは、単一のアクセス規格の無線アクセスネットワーク（例えば、ＬＴＥネットワーク）を共同でサポートしてよく、又は、それぞれ、異なるアクセス規格の無線アクセスネットワークをサポートしてもよい。ＢＢＵ２０２はさらに、メモリ２０２１と、プロセッサ２０２２とを含む。メモリ２０２１は、必要な命令及び必要なデータを格納するように構成される。例えば、メモリ２０２１は、上述の実施形態におけるコードブックＣ１及びＣ２、並びに／又はコードブックＣを格納する。プロセッサ２０２２は、基地局を制御して、必要な処理を実行するように構成され、例えば、プリコーディング行列セットを選択するために、基地局を制御して、図２に示される処理を実行するように構成される。メモリ２０２１及びプロセッサ２０２２は、１つ又は複数のボードに応え得る。すなわち、メモリ及びプロセッサは、各ボードに個別に配置されてよい。あるいは、複数のボードが、同じメモリ及び同じプロセッサを共有してもよい。さらに、必要な回路が、各ボードに配置される。
【００９１】
図４は、ＵＥがプリコーディング情報を基地局から受信することを示す論理フローチャートである。
【００９２】
４１１で、ＵＥ１０は、シグナリング指標を基地局２０から受信する。
【００９３】
具体的には、ＵＥ１０は、図３に示される基地局２０により送信されたシグナリング指標を受信する。シグナリング指標は、基地局２０により選択されたプリコーディング行列セットを示す。シグナリング指標の詳細については、図３の関連説明を参照されたい。詳細はここで説明しない。
【００９４】
４１２で、ＵＥ１０は、プリコーディング行列を選択する。ＵＥ１０は、受信されたシグナリング指標に従って、プリコーディング行列を選択する。例えば、ＵＥ１０は、受信されたシグナリング指標に従って、基地局により選択されたプリコーディング行列セットを認識してよい。ＵＥは、プリコーディング行列セットからプリコーディング行列を選択する。別の例では、ＵＥ１０及び基地局２０は、同じコードブックを格納する。ＵＥ１０は、基地局２０からシグナリング指標を受信し、当該シグナリング指標に従って、基地局により選択されたプリコーディング行列セットを認識する。プリコーディング行列セットは、ＵＥ１０に格納されたコードブックのコードブックサブセットである。ＵＥ１０は、シグナリング指標に従って、格納されたコードブック内のコードブックサブセットから、プリコーディング行列を選択する。
【００９５】
ＵＥが具体的にプリコーディング行列をどのように選択するかは、当業者が認識していることなので、詳細はここで説明しない。例えば、ＵＥ１０は、基地局２０から参照信号を受信する。又は、ＵＥ１０は、基地局２０の通知（例えば、ＲＲＣメッセージ又はダウンリンク制御情報ＤＣＩ）を受信することで、若しくはセル識別子ＩＤに基づいて、参照信号のリソース構成を取得して、対応するリソース又はサブフレーム上で参照信号を取得する。参照信号は、ＣＳＩ  ＲＳ、ＤＭ  ＲＳ、及びＣＲＳのうち１つ又は複数を含んでよい。ＵＥは、参照信号に従ってチャネル推定を取得し、当該チャネル推定及び予め設定されたルール（例えば、チャネル容量若しくはスループット最大化基準、又は弦距離最小化基準）に従って、シグナリング指標により示されたプリコーディング行列セットからプリコーディング行列を選択する。プリコーディング行列の選択方法は、当業者が認識していることなので、詳細はここで説明しない。
【００９６】
４１３で、ＵＥ１０は、プリコーディング行列指標ＰＭＩを基地局２０へ送信する。
【００９７】
ＰＭＩは、４１２で選択されたプリコーディング行列に対応する。基地局２０は、ＵＥにより送信されたＰＭＩを受信し、当該ＰＭＩに従って、格納された対応するコードブックからプリコーディング行列を取得してよい。
【００９８】
一例において、ＵＥにより送信されたＰＭＩは、コードブックサブセット制限後に取得されたコードブックサブセットのＰＭＩであり、コードブックサブセット制限後に取得されたＰＭＩは、コードブックサブセット制限後に取得されたプリコーディング行列が再符号化された後に取得されたＰＭＩを指す。コードブックは、８個のプリコーディング行列を有し、３ビットのＰＭＩが、８個のプリコーディング行列を示すのに必要とされることが想定されている。サブセット制限がコードブックに対して実行された後に、プリコーディング行列セットは、４個のプリコーディング行列を有することが想定されている。４個のプリコーディング行列が再符号化された後に、２ビットが、４個の状態を示すのに必要とされる。したがって、ＵＥのフィードバックビットの数が減少し得る。
【００９９】
例えば、ＵＥにより送信されたＰＭＩは、第１のプリコーディング行列指標ＰＭＩ１と、第２のプリコーディング行列指標ＰＭＩ２とを含む。ＰＭＩ１及びＰＭＩ２はそれぞれ、Ｗ１及びＷ２に対応する。例えば、コードブックサブセット制限後に取得されたコードブックサブセットは、Ｗ２内の
【数５５】
0006733938.tif 000059
が、任意であることに制限されることであってよく、φｎ＝ｅｊ２ｎπ／４、ｎ＝｛０、１｝である。すなわち、Ｗ２の選択は、４個の状態を有し、コードブックサブセット制限後に取得された第２のプリコーディング行列指標ＰＭＩ２では、２ビットのシグナリングが、Ｗ２の４個の状態を表すのに必要とされる。
【０１００】
別の例では、ＰＭＩは、１つの特定の値を含んでよい。この場合、ＰＭＩは、コードブックサブセット制限後に取得されたプリコーディング行列Ｗを直接示す。例えば、全部で２５６個の異なるプリコーディング行列が存在し、コードブックサブセット制限後に取得された全部で１２８個のプリコーディング行列が存在する場合、ＰＭＩ＝０、…、及び１２７が、プリコーディング行列Ｗを別々に示すのに用いられてよい。
【０１０１】
さらに別の例では、ＰＭＩは、ＰＭＩ１及びＰＭＩ２を含んでよく、ＰＭＩ１及びＰＭＩ２はそれぞれ、コードブックサブセット制限後に取得されるＷ１及びＷ２に対応する。
【０１０２】
ＰＭＩ１及びＰＭＩ２は、異なる時間ドメイン粒度又は異なる周波数ドメイン粒度を有し、例えば、ＰＭＩ１はブロードバンドを表し、ＰＭＩ２はサブバンドを表す。別の例では、ＰＭＩ１１、ＰＭＩ１２、及びＰＭＩ２が、異なる期間又は異なる帯域幅のチャネル特性を表すか、又は、異なるサブフレーム期間又は異なるサブバンド値に基づいて取得される。さらに、プリコーディング行列指標ＰＭＩ１１及びＰＭＩ１２は、異なる期間において基地局へ送信される。
【０１０３】
さらに、プリコーディング行列指標ＰＭＩは、異なる時間ドメイン粒度若しくは異なる周波数ドメイン粒度を有するか、又は、異なるサブフレーム期間若しくは異なるサブバンド値に基づいて取得される。
【０１０４】
ＵＥがプリコーディング行列指標ＰＭＩを基地局へ送信することは、物理アップリンク制御チャネル（ｐｈｙｓｉｃａｌ  ｕｐｌｉｎｋ  ｃｏｎｔｒｏｌ  ｃｈａｎｎｅｌ、略してＰＵＣＣＨ）又は物理アップリンク共有チャネル（ｐｈｙｓｉｃａｌ  ｕｐｌｉｎｋ  ｓｈａｒｅｄ  ｃｈａｎｎｅｌ、略してＰＵＳＣＨ）を用いることで、ＵＥがプリコーディング行列指標ＰＭＩを基地局へ送信することであってよい。
【０１０５】
本出願に含まれるコードワード（すなわち、プリコーディング行列）Ｗ、Ｗ１、又はＷ２は、格納されたコードブック内のコードワードであってよく、又は、行置換若しくは列置換の後に取得されたプリコーディング行列であってよいことに留意されたい。例えば、アンテナ本数が異なると、それに対応してプリコーディング行列の行置換が生じ、レイヤが異なると、それに対応してプリコーディング行列の列置換が生じる。
【０１０６】
図５は、ユーザ機器ＵＥの概略構造図である。ＵＥは、図１に示されるシステムに適用可能であってよい。説明しやすくするために、図５は、ユーザ機器の主要なコンポーネントを示す。図５に示されるように、ユーザ機器１００は、プロセッサ、メモリ、制御回路、アンテナ、並びに入力装置及び出力装置を含む。プロセッサは主に、通信プロトコル及び通信データを処理し、ユーザ機器全体を制御し、ソフトウェアプログラムを実行し、ソフトウェアプログラムのデータを処理するように構成され、例えば、図４で説明された処理を実行するＵＥをサポートするように構成される。メモリは主に、ソフトウェアプログラム及びデータ、例えば、上述の実施形態において説明されたコードブックを格納するように構成される。制御回路は主に、ベースバンド信号及び無線周波数信号を変換し、当該無線周波数信号を処理するように構成される。アンテナを共に有する制御回路はまた、送受信機と呼ばれることがあり、主に、電磁波の形の無線周波数信号を受信及び送信するように構成されてよい。例えば、送受信機は、図４の４１１を実行する、すなわち、基地局により送信されたシグナリング指標及び／又は参照信号を受信するように構成されてよい。別の例では、送受信機は、４１３を実行する、すなわち、ＰＭＩを基地局へ送信するように構成されてよい。詳細については、上述の関連部分に関する説明を参照されたい。例えば、タッチスクリーン、表示スクリーン、又はキーボードといった入力装置及び出力装置は主に、ユーザが入力したデータを受け取り、データをユーザへ出力するように構成される。
【０１０７】
ユーザ機器の電源を入れた後に、プロセッサは、記憶装置（メモリなど）に格納されたソフトウェアプログラムを読み出し、ソフトウェアプログラムの命令を解釈して実行し、ソフトウェアプログラムのデータを処理してよい。データが無線で送信される必要がある場合、プロセッサは、送信予定のデータに対してベースバンド処理を実行した後に、ベースバンド信号を無線周波数回路へ出力する。無線周波数回路は、ベースバンド信号に対して無線周波数処理を実行した後に、アンテナを用いることで、電磁波の形で無線周波数信号を送信する。データがユーザ機器へ送信される場合、無線周波数回路は、アンテナを用いることで、無線周波数信号を受信し、無線周波数信号をベースバンド信号に変換し、ベースバンド信号をプロセッサへ出力する。プロセッサは、ベースバンド信号をデータに変換し、当該データを処理する。
【０１０８】
当業者であれば、説明しやすくするために、図５が１つのメモリ及び１つのプロセッサを示していることを理解し得るであろう。実際のユーザ機器には、複数のプロセッサ及び複数のメモリが存在し得る。メモリはまた、記憶媒体、記憶装置などと呼ばれることがある。このことは、本発明の本実施形態において限定されない。
【０１０９】
任意の実装方式において、プロセッサは、ベースバンドプロセッサ及び中央処理装置を含んでよい。ベースバンドプロセッサは主に、通信プロトコル及び通信データを処理するように構成される。中央処理装置は主に、ユーザ機器全体を制御し、ソフトウェアプログラムを実行し、ソフトウェアプログラムのデータを処理するように構成される。図５のプロセッサは、ベースバンドプロセッサ及び中央処理装置機能を統合する。当業者であれば、ベースバンドプロセッサ及び中央処理装置は、それぞれ別個のプロセッサであってよく、バスなどの技術を用いることで相互接続されることを理解し得るであろう。当業者であれば、ユーザ機器は、異なるネットワーク規格に適応するために、複数のベースバンドプロセッサを含み得ることを理解し得るであろう。ユーザ機器は、ユーザ機器の処理能力を高めるために、複数の中央処理装置を含み得る。ユーザ機器のコンポーネント類は、様々なバスを用いることで、互いに接続されてよい。ベースバンドプロセッサはまた、ベースバンド処理回路又はベースバンド処理チップと表現されることがある。中央処理装置はまた、中央処理回路又は中央処理チップと表現されることがある。通信プロトコル及び通信データを処理する機能が、プロセッサに設けられてよく、又は、ソフトウェアプログラムの形で記憶装置に格納されてもよい。プロセッサは、ベースバンド処理機能を実装するために、ソフトウェアプログラムを実行する。
【０１１０】
例えば、本発明の本実施形態では、送受信機能を有するアンテナ及び制御回路は、ＵＥ１０の送受信機ユニット１０１とみなされてよい。処理機能を有するプロセッサは、ＵＥ１０の処理ユニット１０２とみなされてよい。図５に示されるように、ＵＥ１０は、送受信機ユニット１０１と、処理ユニット１０２とを含む。送受信機ユニットはまた、送受信機、送受信機械、送受信装置などと呼ばれることがある。任意で、送受信機ユニット１０１に受信機能を実装するように構成されるコンポーネントが、受信ユニットとみなされてよく、送受信機ユニット１０１に送信機能を実装するように構成されるコンポーネントが、送信ユニットとみなされてよい。すなわち、送受信機ユニット１０１は、受信ユニット及び送信ユニットを含む。例えば、受信ユニットはまた、受信機械、受信機、受信回路などと呼ばれることがある。送信ユニットは、送信機械、送信機、送信回路などと呼ばれることがある。
【０１１１】
当業者であれば、本発明の実施形態において記載される様々な例示的な論理ブロック（ｉｌｌｕｓｔｒａｔｉｖｅ  ｌｏｇｉｃ  ｂｌｏｃｋ）及び段階（ｓｔｅｐ）は、電子機器、コンピュータソフトウェア、又はこれらの組み合わせを用いることで、実装され得ることをさらに理解し得るであろう。これらの機能が、ハードウェアを用いることで実装されるか、又はソフトウェアを用いることで実装されるかは、特定の用途、及びシステム全体の設計要件に依存する。特定の用途ごとに、当業者であれば、様々な方法を用いることで機能を実装し得るが、この実装が、本発明の実施形態の保護範囲を越えるとみなされるべきではない。
【０１１２】
本発明の実施形態において説明される様々な例示的な論理ユニット及び回路は、汎用プロセッサ、デジタル信号プロセッサ、特定用途向け集積回路（ＡＳＩＣ）、フィールドプログラマブルゲートアレイ（ＦＰＧＡ）若しくは別のプログラム可能な論理装置、ディスクリートゲート若しくはトランジスタロジック、ディスクリートハードウェアコンポーネント、又はこれらの任意の組み合わせを用いることで、説明された機能を実装する又は働かせることができる。汎用プロセッサは、マイクロプロセッサであってよい。任意で、汎用プロセッサは、従来のあらゆるプロセッサ、コントローラ、マイクロコントローラ、又はステートマシンであってよい。プロセッサは、デジタル信号プロセッサ及びマイクロプロセッサ、複数のマイクロプロセッサ、１つ若しくは複数のマイクロプロセッサ及びデジタル信号プロセッサコア、又はあらゆる他の類似の構成などの演算処理装置を組み合わせることで実装されてもよい。
【０１１３】
本発明の実施形態において説明される方法又はアルゴリズムの段階は、ハードウェア、プロセッサにより実行されるソフトウェアユニット、又はこれらの組み合わせに直接組み込まれてよい。ソフトウェアユニットは、ＲＡＭメモリ、フラッシュメモリ、ＲＯＭメモリ、ＥＰＲＯＭメモリ、ＥＥＰＲＯＭメモリ、レジスタ、ハードディスク、リムーバブル磁気ディスク、ＣＤ−ＲＯＭ、又は当技術分野におけるあらゆる他の形の記憶媒体に格納されてよい。例えば、記憶媒体は、プロセッサに接続してよく、これにより、プロセッサは、記憶媒体から情報を読み出し、また記憶媒体に情報を書き込むことができる。あるいは、記憶媒体はさらに、プロセッサに統合されてもよい。プロセッサ及び記憶媒体は、ＡＳＩＣの中に配置されてよく、ＡＳＩＣは、ＵＥの中に配置されてよい。任意で、プロセッサ及び記憶媒体は、ＵＥの異なるコンポーネントの中に配置されてよい。
【０１１４】
１つ又は複数の設計例において、本発明の実施形態で説明された機能は、ハードウェア、ソフトウェア、ファームウェア、又はこれらの任意の組み合わせを用いることで実装されてよい。これらの機能がソフトウェアにより実装される場合、これらの機能は、コンピュータ可読媒体に格納されてよく、又は、１つ又は複数の命令若しくはプログラムの形でコンピュータ可読媒体に送信されてよい。コンピュータ可読媒体は、コンピュータ記憶媒体と、ある場所から別の場所にコンピュータプログラムが移動するのを可能にする通信媒体とを含む。記憶媒体は、任意の汎用コンピュータ又は専用コンピュータによりアクセスされ得る利用可能な媒体であってよい。例えば、そのようなコンピュータ可読媒体は、限定されないが、ＲＡＭ、ＲＯＭ、ＥＥＰＲＯＭ、ＣＤ−ＲＯＭ若しくは別の光ディスクストレージ、ディスクストレージ若しくは別の磁気記憶装置、又は、プログラムコードを記憶又は格納するのに用いられ得る任意の他の媒体を含んでよく、プログラムコードは、命令若しくはデータ構造の形、あるいは汎用コンピュータ若しくは専用コンピュータ、又は汎用プロセッサ若しくは専用プロセッサにより読み出され得る形である。さらに、任意の接続が、コンピュータ可読媒体として適切に定義されてよい。例えば、ソフトウェアが、同軸ケーブル、光ファイバコンピュータ、ツイストペア、デジタル加入者線（ＤＳＬ）を用いることで、又は、赤外線、無線、若しくはマイクロ波などの無線方式で、ウェブサイト、サーバ、又は別の遠隔リソースから送信される場合、ソフトウェアは、定義されたコンピュータ可読媒体に含まれる。ディスク（ｄｉｓｃ、ｄｉｓｋ）は、圧縮ディスク、レーザディスク、光ディスク、ＤＶＤ、フロッピ（登録商標）ディスク、及びＢｌｕ−ｒａｙ（登録商標）ディスクを含む。ディスク（ｄｉｓｋ）は一般に、磁気的手段によりデータをコピーし、ディスク（ｄｉｓｃ）は一般に、レーザ手段により光学的にデータをコピーする。上述の組み合わせも、コンピュータ可読媒体に含まれてよい。
【０１１５】
本発明における本明細書の上述の説明によれば、当技術分野の技術は、本発明の内容を用いる、又は実装することができる。開示された内容に基づくあらゆる変更は、当技術分野において明らかであるとみなされることになる。本発明において説明された基本原理は、本発明の本質及び範囲から逸脱することなく、他の変形例に適用されてよい。したがって、本発明において開示された内容は、説明された実施形態及び設計に限定されず、本発明の原理及び開示された新たな特徴と一致する最大範囲に拡張されてもよい。
（項目１）
プリコーディング情報を送信するための方法であって、
シグナリング指標を基地局により生成する段階であって、上記シグナリング指標は、以下の情報、すなわち、
（ｉ）コードブック構造Ｗ＝Ｗ１・Ｗ２に基づくプリコーディング行列セット用のコードワードＷ２のサブセット、
（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、
（ｉｉｉ）コードブック構造Ｗ＝Ｗ１・Ｗ２に基づくプリコーディング行列セット用のコードワードＷ１のサブセット、
（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値、
のうち１つ又は複数を示すのに用いられる、段階と、
上記シグナリング指標をユーザ機器ＵＥへ上記基地局により送信する段階と
を備える、方法。
（項目２）
上記コードワードＷ２の上記サブセットは、以下のセット、すなわち、列選択ベクトル値が制限されているコードワードＷ２、位相回転重みファクタ値が制限されているコードワードＷ２、並びに列選択ベクトル値及び位相回転重みファクタ値が両方とも制限されているコードワードＷ２、のうち１つを含む、項目１に記載の方法。
（項目３）
上記シグナリング指標は、コードブックサブセット制限シグナリングである、項目１又は２に記載の方法。
（項目４）
上記シグナリング指標は、上記基地局により上記ＵＥへ送信される無線リソース制御（ＲＲＣ）メッセージ、又はダウンリンク制御情報（ＤＣＩ）を使って搬送される、項目１から３のいずれか一項に記載の方法。
（項目５）
上記コードワードＷ１及びＷ２は、上記基地局に格納されたコードブック内のコードワードであるか、又は、上記基地局に格納されたコードブック内のコードワードに対して行置換若しくは列置換が実行された後に取得されたプリコーディング行列である、項目１から４のいずれか一項に記載の方法。
（項目６）
Ｗ２は、サブバンド又はショートタームのチャネル特性に対応する、項目１から５のいずれか一項に記載の方法。
（項目７）
Ｗ１は、ブロードバンド又はロングタームのチャネル特性に対応する、項目１から６のいずれか一項に記載の方法。
（項目８）
シグナリング指標を生成するように構成されたプロセッサであって、上記シグナリング指標は、以下の情報、すなわち、
（ｉ）コードブック構造Ｗ＝Ｗ１・Ｗ２に基づくプリコーディング行列セット用のコードワードＷ２のサブセット、
（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、
（ｉｉｉ）コードブック構造Ｗ＝Ｗ１・Ｗ２に基づくプリコーディング行列セット用のコードワードＷ１のサブセット、
（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値
のうち１つ又は複数を示すのに用いられる、プロセッサと、
上記シグナリング指標をユーザ機器ＵＥへ送信するように構成された送受信機と
を備える、基地局。
（項目９）
上記コードワードＷ２の上記サブセットは、以下のセット、すなわち、列選択ベクトル値が制限されているコードワードＷ２、位相回転重みファクタ値が制限されているコードワードＷ２、並びに列選択ベクトル値及び位相回転重みファクタ値が両方とも制限されているコードワードＷ２、のうち１つを含む、項目８に記載の基地局。
（項目１０）
コードブックを格納するように構成されたメモリをさらに備え、上記コードブックは、少なくとも１つのコードワードＷを含み、Ｗのコードワード構造は、Ｗ＝Ｗ１・Ｗ２である、項目８又は９に記載の基地局。
（項目１１）
コードブックを格納するように構成されたメモリをさらに備え、上記コードワードＷ１及びＷ２は、上記メモリに格納された上記コードブック内のコードワードであるか、又は、上記メモリに格納された上記コードブック内のコードワードに基づく行置換若しくは列置換の後に取得されたプリコーディング行列である、項目８又は９に記載の基地局。
（項目１２）
上記送受信機は、無線リソース制御ＲＲＣメッセージ、又はダウンリンク制御情報ＤＣＩを上記ＵＥへ送信するように構成され、上記ＲＲＣメッセージ又は上記ＤＣＩは、上記シグナリング指標を搬送する、項目８から１１のいずれか一項に記載の基地局。
（項目１３）
上記送受信機はさらに、プリコーディング行列指標（ＰＭＩ）を上記ＵＥから受信するように構成されており、上記ＰＭＩにより示されるプリコーディング行列は、上記プリコーディング行列セットに属する、項目８から１２のいずれか一項に記載の基地局。
（項目１４）
プリコーディング情報をフィードバックするための方法であって、
基地局からシグナリング指標をユーザ機器ＵＥにより受信する段階であって、上記シグナリング指標は、以下の情報、すなわち、
（ｉ）コードブック構造Ｗ＝Ｗ１・Ｗ２に基づくプリコーディング行列セット用のコードワードＷ２のサブセット、
（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、
（ｉｉｉ）コードブック構造Ｗ＝Ｗ１・Ｗ２に基づくプリコーディング行列セット用のコードワードＷ１のサブセット、
（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値
のうち１つ又は複数を示すのに用いられる、段階と、
上記シグナリング指標に従って、プリコーディング行列を上記ＵＥにより選択する段階であって、選択された上記プリコーディング行列は、上記プリコーディング行列セットに属する、段階と、
プリコーディング行列指標（ＰＭＩ）を上記基地局へ上記ＵＥにより送信する段階と
を含む、方法。
（項目１５）
上記コードワードＷ２の上記サブセットは、以下のセット、すなわち、列選択ベクトル値が制限されているコードワードＷ２、位相回転重みファクタ値が制限されているコードワードＷ２、並びに列選択ベクトル値及び位相回転重みファクタ値が両方とも制限されているコードワードＷ２、のうち１つを含む、項目１４に記載の方法。
（項目１６）
上記ＵＥは、上記シグナリング指標を搬送する無線リソース制御ＲＲＣメッセージ、又はダウンリンク制御情報ＤＣＩを受信する、項目１４又は１５に記載の方法。
（項目１７）
上記ＵＥにより上記基地局へ送信された上記ＰＭＩは、第１のプリコーディング行列指標ＰＭＩ１及び第２のプリコーディング行列指標ＰＭＩ２を含み、上記ＰＭＩ１は、上記コードワードＷ１を示すのに用いられ、上記ＰＭＩ２は、上記コードワードＷ２を示すのに用いられる、又は、
上記ＵＥにより上記基地局へ送信された上記ＰＭＩは、上記ＵＥにより選択された上記プリコーディング行列のＰＭＩである、又は、
上記ＵＥにより上記基地局へ送信された上記ＰＭＩは、上記ＵＥが上記プリコーディング行列セットを再符号化した後に取得され、且つ選択された上記プリコーディング行列用のＰＭＩである、
項目１４から１６のいずれか一項に記載の方法。
（項目１８）
上記プリコーディング行列指標ＰＭＩ１及びＰＭＩ２は、異なる時間ドメイン粒度、又は異なる周波数ドメイン粒度を有する、項目１７に記載の方法。
（項目１９）
ユーザ機器ＵＥであって、
シグナリング指標を基地局から受信するように構成された送受信機であって、上記シグナリング指標は、以下の情報、すなわち、
（ｉ）コードブック構造Ｗ＝Ｗ１・Ｗ２に基づくプリコーディング行列セット用のコードワードＷ２のサブセット、
（ｉｉ）コードブック構造Ｗ＝Ｗ１・Ｗ２に基づくプリコーディング行列セット用の第２のプリコーディング行列指標ｉ２の１つ又は複数の値であり、ｉ２の各値はコードワードＷ２を示すのに用いられる、ｉ２の１つ又は複数の値、
（ｉｉｉ）コードブック構造Ｗ＝Ｗ１・Ｗ２に基づくプリコーディング行列セット用のコードワードＷ１のサブセット、
（ｉｖ）コードブック構造Ｗ＝Ｗ１・Ｗ２に基づくプリコーディング行列セット用の第１のプリコーディング行列指標ｉ１の１つ又は複数の値であり、ｉ１の各値はコードワードＷ１を示すのに用いられる、ｉ１の１つ又は複数の値
のうち１つ又は複数を示すのに用いられる、送受信機と、
上記シグナリング指標に従ってプリコーディング行列を選択するように構成されたプロセッサであって、選択された上記プリコーディング行列は、上記プリコーディング行列セットに属する、プロセッサと
を備え、
上記送受信機はさらに、プリコーディング行列指標（ＰＭＩ）を上記基地局へ送信するように構成される、ＵＥ。
（項目２０）
上記コードワードＷ２の上記サブセットは、以下のセット、すなわち、列選択ベクトル値が制限されているコードワードＷ２、位相回転重みファクタ値が制限されているコードワードＷ２、並びに列選択ベクトル値及び位相回転重みファクタ値が両方とも制限されているコードワードＷ２、のうち１つを含む、項目１９に記載のＵＥ。
（項目２１）
上記送受信機が上記基地局へ送信するように構成される上記プリコーディング行列指標（ＰＭＩ）は、
第１のプリコーディング行列指標ＰＭＩ１及び第２のプリコーディング行列指標ＰＭＩ２を含み、上記ＰＭＩ１は、上記コードワードＷ１を示すのに用いられ、上記ＰＭＩ２は、上記コードワードＷ２を示すのに用いられる、又は、
上記ＰＭＩは、上記ＵＥにより選択された上記プリコーディング行列のＰＭＩである、又は、
上記ＰＭＩは、上記ＵＥが上記プリコーディング行列セットを再符号化した後に取得され、且つ選択された上記プリコーディング行列を示すのに用いられる、ＰＭＩである、
項目１９又は２０に記載のＵＥ。
（項目２２）
上記プリコーディング行列指標ＰＭＩ１及びＰＭＩ２は、異なる時間ドメイン粒度、又は異なる周波数ドメイン粒度を有する、項目２１に記載の基地局。
【図１】
0006733938.tif 000060
【図２】
0006733938.tif 000061
【図３】
0006733938.tif 000062
【図４】
0006733938.tif 000063
【図５】
0006733938.tif 000064